(57)【特許請求の範囲】
【請求項１】
上ハーフと下ハーフとを備え、ディスクカートリッジが前記上ハーフと前記下ハーフで囲まれた空間に挿入されるカートリッジアダプタであって、
上記ディスクカートリッジは、大略的に矩形板状の形状を有して、該内部に円盤状記録媒体を回転可能に収納し、記録又は再生時に前記円盤状記録媒体を露出させる開口部と、平時において該開口部を遮蔽する開閉自在に設けられた遮蔽板を有するケースにおいて、ケースの同一面上に記録又は再生ヘッド挿入用の２つ前記開口部を有し、同一面上にある２つの開口部のうち、遮蔽板開閉方向の幅が小さい開口部は両面開口しており、遮蔽板開閉方向の幅が大きい開口部は記録又は再生ヘッド挿入用の片面のみ開口を設けており、
前記上ハーフには、光ディスク装置の駆動装置に係合される第１のターンテーブルと、該第１のターンテーブルと駆動ベルトで接続される第２のターンテーブルとが設けられ、
前記下ハーフには、開口部とシャッタオープナーとが設けられ、
前記ディスクカートリッジが挿入されると、前記シャッタオープナーにより、前記ディスクカートリッジの前記幅の小さい開口部が両面で開状態となり、前記第２のターンテーブルと前記円盤状記録媒体のハブとが接合されることを特徴とするカートリッジアダプタ。
【請求項２】
請求項１に記載のカートリッジアダプタが装着される据え置き型光ディスク装置であって、
自身の駆動装置が前記第１のターンテーブルに係合され、前記駆動ベルトにより前記第２のターンテーブルに接合された前記円盤状記録媒体を回転させ、前記幅の大きい開口部と前記カートリッジアダプタの下ハーフに設けられた開口部とを通じて、前記円盤状記録媒体の記録再生を行うことを特徴とする据え置き型光ディスク装置。
【発明の詳細な説明】
【０００１】
【産業上の利用分野】
この発明は情報を記録又は再生する光情報記録媒体を有するディスクカートリッジおよび光ディスク装置に関するものである。
【０００２】
【従来の技術】
一般に、光ディスクや磁気ディスク等の円盤状記録媒体は、防塵や記録再生装置へ装着時の利便性のために、ディスクカートリッジの内部に収納されている。ディスクカートリッジは記録再生用のヘッドやディスクを回転駆動させるためのターンテーブルの挿入を可能とする開口部を有し、且つ該開口部を遮蔽する開閉自在設けられた遮蔽板（以下、シャッタと呼ぶ）を具備している。具体例としては、ミニディスク（以後ＭＤと呼ぶ）、光磁気ディスク、ＤＶＤ等各種光ディスクやフレキシブルディスク等の磁気ディスクがある。
【０００３】
一例として、ＭＤにおけるディスクカートリッジの部品構成、シャッタ開閉状態、及び断面図を図１０および図１１に示す。このディスクカートリッジ１００は、ディスク１０３の記録再生に磁気ヘッドと光ヘッドとを使用するものであり、図１０および図１１に示すようにディスク１０３を収納するケースの一方の面１０７に磁気ヘッド挿入孔である上面開口部１０１を有し、他方の面１０８にターンテーブル挿入孔１０２ｃと光ヘッド挿入のための下面開口部１０２を有している。上記上下開口部１０１、１０２は、シャッタ１０４により開閉され、ディスクの記録再生時に開放され、非記録再生時に閉じられる。そして、ディスクの記録再生時には、上記下面開口部１０２を通じて、ディスク１０３が、ディスク１０３に勘合されているクランピングプレート１０６が磁性材であるため、磁力によってターンテーブル（磁石を含有）に接合しディスク１０３が回転駆動し、同時に上記上面開口部１０１および下面開口部１０２を通じてディスク１０３の信号記録面にアクセスする磁気ヘッド及び光ヘッドとによりディスク１０３に対する情報信号の書き込み及び読み出しが行われる。
【０００４】
なお、上述の他の各記録媒体用カートリッジは、ターンテーブル挿入穴までを遮蔽するか否かと、シャッタをバネにより遮蔽するように付勢させるか、又はシャッタロックにより機械的に固定するかが異なるだけで大きな構成状の違いはない。
【０００５】
また、特開平６−１３１８４１号公報には、上記と同様の機構である開口部（挿入孔と呼ぶ場合有）を同一面内に２つ有することにより、記録又は再生時において、前記２つの開口部を通じて、ディスクの同一信号記録面に同時にアクセスする２つの記録又は再生ヘッド（光ヘッド、磁気ヘッド等）により情報信号の書き込み及び読み出しが行われるディスクカートリッジについて提案されている。このカートリッジ１００のシャッタ開閉状態、及び断面図を図１２に示す。
【０００６】
なお、部品構成は、前述のミニディスク用カートリッジと大きな差はなく、図より明らかなように、同一面内にシャッタの摺動方向の幅が同じ、２つの記録又は再生ヘッド用の挿入用の開口部が設けられている点で異なり、ディスク１０３の同一面に２つの記録又は再生ヘッドをアクセスすることができるディスク駆動装置に対応できるようになっている。
【０００７】
また、各シャッタ１０４ａ，１０４ｂを独立させた場合についても提案されており、ディスクの同一面には１つの記録又は再生ヘッドをアクセスすることしかできないディスク駆動装置の場合、不必要な挿入用の開口部を遮蔽したままで、対応することができるため、より粉塵等に強いことが特徴として述べられている。
【０００８】
一方、これまで述べてきたカートリッジを使用するディスク駆動装置には、より多くの情報を記録することができる概ね一定の場所に設置して使用する大径ディスク用の大型駆動装置（例  ＤＶＤプレーヤー）と使用時に持ち運べることを前提とした小径ディスク用の小型駆動装置（例  携帯用ＭＤプレーヤー）がある。
【０００９】
それぞれの駆動装置はその使用目的において、優先すべき性能が異なる。例えば、携帯を目的とする小型駆動装置では、携帯しやすいよう、より小型であることが求められ、大容量記録媒体を使用する大型記録媒体では、大量の情報を処理するために、高転送レート化が要求されることから各径専用の駆動装置を提供していた。
【００１０】
【発明が解決しようとする課題】
しかしながら、前記従来技術で示した大型駆動装置と小型駆動装置において、それぞれ求められる性能を満たした場合、記録又は再生ヘッド（主に光ヘッド）が異なるという問題が生じる。
【００１１】
すなわち、高転送レートを実現するためには記録又は再生ヘッド（主に光ヘッド）がより大きくなり、より小型化が求められる小型駆動装置には適合しなくなるためである。しかし、現実には、携帯用小型駆動装置を使用して、小径ディスクに記録した情報を、大型駆動装置で高速処理する要求が高まっている。
【００１２】
ここで、従来のディスクカートリッジにおいて、シャッタがカートリッジに収まる条件を図１１、図１３を参照して検討する。
【００１３】
従来技術で述べたＭＤ等に代表されるカートリッジ１００は、光ディスクの記録再生時には、光ヘッド１０５のレンズ中心１０５ａがａ−ａ’線上（ターンテーブル中心上の線）を移動しながら、記録再生を行うためａ−ａ’線上から大きく外れると現状のディスク駆動装置では記録再生位置認識が不可となる。そのため、図１３のように開口部はカートリッジの中心線（ａ−ａ'線）にほぼ対称となるように光ヘッド挿入孔である下面開口部１０２が設けられる。このようなカートリッジにおいて、シャッタがカートリッジ内に収まるのであれば、カートリッジのシャッタ摺動方向長さをＬとすると、開口幅Ｗ１はシャッタ幅Ｗ２とほぼ等しく（Ｗ１＝Ｗ２＝Ｗとする）、かつ上記に示したように開口部はカートリッジ中心である必要があることから、１／２Ｌ≧１／２Ｗ＋Ｗとなる。
【００１４】
すなわち、カートリッジ幅Ｌの１／３程度が開口部幅の限界であり、カートリッジ幅がディスク直径とほぼ等しい（全体をかさばらないよう、できるだけ小さくするため）ことから、ディスクの径の約１／３が開口部幅の限界であるといえる。
【００１５】
したがって、高密度化、高速化、安定性が求められる光ディスク装置では、光ヘッドの対物レンズをできる限りディスクに近付け、焦点距離を小さくして、記録再生に必要なビーム径を可能な限り小さくすると共に、携帯性を兼ね備えるためにディスクカートリッジはできる限り小型である必要がある。ビーム径を小さくするためには、対物レンズを通過する前のビーム径は大きい方が有利で、あまり小さすぎると、ビームが絞れない。
【００１６】
これら制約条件から、高速化、高密度化を両立させる光ピックアップ装置としては、それほど小さくすることが困難である。
【００１７】
以上のことから、大型ディスクと小型ディスクを同一の大型駆動装置で使用するには、大型駆動装置の記録又は再生ヘッドの大きさを小型ディスク用カートリッジの記録又は再生ヘッド挿入孔である開口部に適合させねばならず、適合した場合は、当然ながら大型駆動機特有の高速情報処理を期待することはできない。
【００１８】
また、特開平６−１３１８４１公報で提案されているカートリッジ１００においても、複数の記録又は再生ヘッド挿入孔である開口部が用いられるため、異なる記録、又は再生ヘッドに対応可能であるが、先に述べたのと同じ理由で開口部の大きさが制約されるため、上記の要求を満たすことはできない。
【００１９】
本発明は、上記課題を解決するためになされたものであって、小型、及び大型ディスク駆動装置に共用できるディスクカートリッジおよび光ディスク装置を提供することを目的とする。
【００２０】
【課題を解決するための手段】
本発明のディスクカートリッジは、大略的に矩形板状の形状を有して、該内部に円盤状記録媒体を回転可能に収納し、記録又は再生時に前記円盤状記録媒体を露出させる開口部と、平時において該開口部を遮蔽する開閉自在に設けられた遮蔽板を有するケースにおいて、ケースの同一面上に記録又は再生ヘッド挿入用の２つ開口部を有し、同一面上にある２つの開口部のうち、一方の開口部の遮蔽板開閉方向の長さがディスク直径の１／３以上であることを特徴とする。
【００２１】
また、本発明のディスクカートリッジは、各遮蔽板の開時において、一方の遮蔽板がカートリッジ幅内に収まり、他方の遮蔽板の一部がカートリッジ幅外に突出していることを特徴とする。
【００２２】
また、本発明のディスクカートリッジは、２つの開口部の内、小さい開口部は両面開口しており、大きい開口部は記録又は再生ヘッド挿入用の片面のみ開口を設けていることを特徴とする。
【００２３】
また、本発明のディスクカートリッジは、各遮蔽板開閉方向が同一であることを特徴とする。
【００２４】
また、本発明のディスクカートリッジは、各遮蔽板が独立して開閉可能であることを特徴とする。
【００２５】
さらに、本発明の据え置き型光ディスク装置は、上述のディスクカートリッジに光ヘッドを用いて記録または再生が可能である据え置き型光ディスク装置において、ディスクカートリッジの記録または再生時には、２つの開口部が開状態であり、２つの開口部のうち、小さい開口部でディスクドライブのためのチャッキングが行われるとともに、大きい開口部に前記光ヘッドをアクセスすることで記録再生を行うことを特徴とする。
【００２６】
【発明の実施の形態】
本発明の実施の一形態を図に基づいて以下に説明する。
【００２７】
本発明のディスクカートリッジを図１および図２に示す。
【００２８】
図１（ａ）（ｂ）はディスクカートリッジのシャッタが開状態の正面図であり、図１（ｃ）（ｄ）は閉状態を示している。図１（ａ）（ｃ）は上面図で、（ｂ）（ｄ）は下面図である。
【００２９】
また、図１（ｅ）は２つの開口部の開状態の斜視図、（ｆ）は、一方の開口部の開状態の斜視図であり、（ｇ）は閉状態の斜視図である。
【００３０】
図２は、図１のディスクカートリッジを部品構成ごとの斜視図を示す。これらは、例えばφ５０ｍｍディスクが収納できる大きさに形成されている（ＭＤはφ６４ｍｍ）。このディスクカートリッジ１０は、例えば画像情報信号を光ディスク３の信号記録面に同心円状に形成される記録トラックに記録し、記録された情報信号を再生するようにしたディスク駆動装置の記録媒体として用いられる。また、光ディスク３が回転可能に収納され、上ハーフ７に上面開口部１を有し、ターンテーブルを挿入するための開口部である。また、下ハーフ８に第１の下面開口部２ａおよび第２の下面開口部２ｂを有している。第１の下面開口部２ａはターンテーブル挿入穴を含む小型光ヘッド挿入するための開口であり、第２の下面開口部２ｂは大型光ヘッドを挿入するための開口を有している。また、上面開口部１と第１の下面開口部２ａを遮蔽する開閉自在の第１シャッタ４ａと第２の下面開口部２ｂを遮蔽する第２シャッタ４ｂが設けられている。
【００３１】
次に、これら第１、２シャッタの取り付け部について説明する。まず、第２のシャッタ部の取り付け部付近を図３および図４に示す。第２シャッタはカートリッジ１０の上ハーフ７表面に設けられたレール上の溝に第２シャッタのカートリッジ係合部４ｄが勘合することにより、開閉自在で容易に脱落せぬようになっている。また、平時において、シャッタ閉状態を保てるよう第２シャッタ用のシャッタロック９を備えている。シャッタロック９の穴部９ｄは下ハーフ裏面に設けられた円柱状の突起部１１ａに回転自在であるように勘合しており、シャッタロック９を常にシャッタ閉状態に保つよう、弾性部９ａが下ハーフ裏面に設けられた円柱状の突起部１１ｂにより弾性変形させられている状態になっている。
【００３２】
また、第２のシャッタ４ｂが閉状態になっているときは、シャッタ４ｂ先端のシャッタロック係合部４ｃがシャッタロックの突起部９ｃと下ハーフ８の突起部１１ｃとの間に挟まれ固定されている。
【００３３】
次に、シャッタ開放状態について説明する。図３の矢印Ａの方向にカートリッジを押し込むと、装置側に固定されているシャッタオープナ１２にシャッタロック９の１部が当たり、シャッタロック９を矢印Ｂの方向に回転させ、突起部９ｃからシャッタ４ｂ先端の係合部４ｃを開放しシャッタを開くことができる。ここで説明を行った第２のシャッタ構造と第１シャッタ４ａ構造も同様の構成である。このようなシャッタ構造は１例であり、バネによる付勢等の手段も考えられる。
【００３４】
このように構成されたディスクカートリッジ１０は、ディスク径に適合する専用光ディスク装置にて記録再生を行う。ここで述べている専用光ディスク装置とは、主に携帯用光ディスク装置のことで、小径ディスク専用に設計された光ディスク装置を意味している。
【００３５】
図５はこのような専用光ディスク装置にカートリッジ１０が装着され、記録再生を行っている状態をあらわしており、（ａ）はカートリッジの上ハーフ直上から各部の配置を透視した図であり、（ｂ）はそのａ−ａ’断面図である。
【００３６】
図５に示すように、ディスク３の記録再生時には、第１の下面開口部２ａを通じて、ディスク３が、ディスク３に接着されているハブ６が磁性体であるために、磁力によってターンテーブル２０１（磁石を含有）に接合し、ディスク１０３が矢印のように回転駆動し、光ヘッド挿入孔である第２の下面開口部２ａを通じてディスク３の信号記録面にアクセスする光ヘッド５が矢印の範囲で移動しながら、ディスク３に対する情報信号の書き込み及び読み出しを行う。
【００３７】
つづいて、上記に示した構成のディスクカートリッジ１０を使用した場合の大径ディスク（φ１２０ｍｍ）用、すなわち据え置き型の光ディスク装置での記録再生法について以下に説明する。図６および図７は、このφ１２０ｍｍディスク装置にアダプター２０内にφ５０ｍｍディスクカートリッジ１０をセットし、記録再生を行っている状態図を図５と同様に表したものである。
【００３８】
ここで、図６はカートリッジの上ハーフ直上から各部の配置を透視した図であり、図７（ａ）は図６のａ−ａ’断面図であり、図７（ｂ）はｂ−ｂ’断面図、図７（ｃ）はｃ−ｃ’断面図である。
【００３９】
図６、図７に示すように、カートリッジアダプタ２０の下ハーフ２８に設けられている開口部２２を通じて、上ハーフ２７に回転自在に設けられているターンテーブル２１ａ（磁性材）が駆動装置のターンテーブル２１（磁石を含有）に磁力によって接合する。前記ターンテーブル２１ａには駆動ベルト２４が接続されており、アダプター２０の上ハーフ２７に回転自在に設けられているφ５０ｍｍ用ターンテーブル２１ｂに駆動力を伝達できるようになっている。このターンテーブル２１ｂ（磁石含有）に、小径ディスクの上面開口部１を通じて、小径ディスク３が、小径ディスク３に接着されているハブ６が磁性材であるため、磁力によって接合し、小径ディスク３が回転駆動し、大型光ヘッド挿入用の開口部２ｂとアダプター開口部２２を通じて、ディスク３の信号記録面にアクセスする光ヘッド５が矢印の範囲で移動しながら、ディスク３に対する情報信号の書き込み及び読み出しを行う。
【００４０】
図８はカートリッジアダプタ２０に本発明のディスクカートリッジ１０の挿入方法を示す説明図である。さらに、図９は大径ディスクカートリッジと同形状を有するカートリッジアダプタの斜視図を示している。これらを用いて、カートリッジアダプタの機構と機能について説明する。
【００４１】
カートリッジアダプタは、上ハーフと下ハーフが一辺を支点にして開閉可能に構成されている。また下ハーフには光ヘッドによって記録再生が可能な開口部が設けられており、小径ディスクカートリッジが挿入可能なスリット部が設けられている。
【００４２】
さらに、カートリッジアダプタの上ハーフには記録再生装置側の駆動系と係合するための第１のターンテーブルと小径ディスクに係合するための第２のターンテーブルを備えており、これらは駆動ベルトを介して駆動系からの動力を伝達できる構成となっている。
【００４３】
次に小径ディスクカートリッジのカートリッジアダプタへの挿入動作について説明する。
【００４４】
φ５０ｍｍディスクカートリッジ１０は、図８矢印Ａの方向にカートリッジアダプタ２０の下ハーフ２８のスリット部に押し込む。その時、カートリッジアダプタ２０の下ハーフ２８に取り付けられているシャッタオープナーにより、第１、２シャッタ（４ａ，４ｂ）が開状態になる。また、第２シャッター４ｂはφ５０ｍｍディスクカートリッジ１０からはみだすが、カートリッジアダプタ２０内にはおさめることができる構成となっている。
【００４５】
つぎに矢印Ｂの方向に下ハーフ２８を動かし上ハーフ２７と合わせる。この時、アダプタ２０の外寸と開口部５０１ｂは通常のφ１２０ｍｍ用ディスクカートリッジと同じであり、図示しないが、この開口部にもシャッター構造を有しており、光ディスク装置への挿入時にこのシャッタ部は開状態となるように構成されている。
【００４６】
このような構成とすることで、小径ディスクカートリッジが開状態であっても、粉塵が小径ディスクカートリッジに進入するのを防ぐことができる。
【００４７】
また、ここで示したカートリッジアダプタを用いることにより、装置側の構造が簡略化できる。
【００４８】
さらに、この小径ディスクカートリッジは第１のシャッタ４ａと第２のシャッタ４ｂの開閉方向を一方向に構成しているため、前述したシャッタロック構造を用いることで、図８に示したカートリッジアダプタのスリット部への挿入する動作に応じて、一度でシャッタ４ａ、４ｂを同時に開くことができるためカートリッジアダプタも簡略化できるため有利である。
【００４９】
上述したカートリッジアダプタをφ１２０ｍｍディスク装置に装着して記録再生を行うことで、ディスクカートリッジ１００は、携帯等に有利な小径ディスク専用駆動装置と情報処理の早い大径専用駆動装置とで共用可能となることが分かる。
【００５０】
なお、今回は記録再生を光ヘッドのみで行えるディスクについての実施例であるが、光磁気ディスクのように磁気ヘッドと光ヘッドを共に使用するディスクの場合、上ハーフ７上にも第２の下面開口部２ｂと同様の開口部を設け、第２シャッタ４ｂを第１シャッタ４ａのように上ハーフ７面上を覆うようにすることにより、対応可能である。
【００５１】
しかしながら、本来の要求である携帯に便利な小径ディスク駆動装置で記録した情報を、処理速度の速い大径ディスク駆動装置で処理するのであれば、小径ディスクに記録する必要はなくなるため、記録時のみ必要な磁気ヘッドをディスク表面にアクセスしなくてよいため、実施例の構成でも十分であると考えられる。
【００５２】
また、小径ディスクカートリッジは、駆動装置をより小さくするために、一般にできるだけ薄い方がよく、そのため、一般にポリカーボネートからなる上下ハーフの肉厚が薄く、上下ハーフ共に大型開口部が設けられた構成となっているが、本発明で示したように第２の下開口部のみを設けた構成の方が強度的に有利である
今回考案したディスクカートリッジ用の円盤状記録媒体としては、ＣＤ（Ｃｏｍｐａｃｔ  ｄｉｓｋ），ＣＤ−ＲＯＭ（Ｃｏｍｐａｃｔ  ｄｉｓｋ−ＲｅａｄＯｎｌｙ  Ｍｅｍｏｒｙ），ＣＤ−Ｒ（Ｃｏｍｐａｃｔ  ｄｉｓｋ−Ｒｅｃｏｒｄａｂｌｅ），ＣＤ−ＲＷ（Ｃｏｍｐａｃｔ  ｄｉｓｋ  ＲｅＷｒｉｔａｂｌｅ），ＤＶＤ，ＤＶＤ−ＲＯＭ，ＤＶＤ−Ｒ，ＤＶＤ−ＲＷ等の円盤状の光情報記録媒体が挙げられるもののこれらに限られるものではない。
【００５３】
【発明の効果】
情報処理の早い大径ディスク専用の光ディスク装置で、本発明のディスクカートリッジを使用することで情報処理の高速化が図れるため、大径ディスクと小径ディスクの互換性が良好となる。
【００５４】
また、本発明のディスクカートリッジによれば、開口部の大きさを大きくでき、大径ディスク用の光ヘッドを小径ディスクの記録面にアクセスすることができる。
【００５５】
また、本発明のディスクカートリッジによれば、ディスクカートリッジの強度を増すことができ、信頼性を高めることができる。
【００５６】
また、本発明のディスクカートリッジによれば、二つの遮蔽板の開閉を簡略化することができる。
【００５７】
また、本発明のディスクカートリッジによれば、通常の小径ディスク駆動装置を用いて記録再生する際に、余分な開口部が無くなり、粉塵等への信頼性を高めることができる。
【００５８】
さらに本発明の光ディスク装置によれば、上記構成のディスクカートリッジを用いることにより、ディスクの内周に近い領域まで記録再生が可能となるため、高密度化が図れ、また、小径ディスクに対しても、より大きな光ヘッドでアクセス可能なため、高速処理が可能となる。
【図面の簡単な説明】
【図１】本発明の実施の一形態であるディスクカートリッジを示す図である。
【図２】本発明の実施の一形態であるディスクカートリッジの分解図である。
【図３】本発明の実施の一形態であるディスクカートリッジの１部を示す拡大図である。
【図４】本発明の実施の一形態であるディスクカートリッジの１部を示す拡大図である。
【図５】本発明の実施の一形態であるディスクカートリッジの小径ディスク駆動装置への装着状態を示す図である。
【図６】本発明の実施の一形態であるディスクカートリッジをカートリッジアダプタへの装着状態を示す図である。
【図７】本発明の実施の一形態であるディスクカートリッジをカートリッジアダプタへの装着状態を示す断面図である。
【図８】本発明の実施の一形態であるディスクカートリッジをカートリッジアダプタへの挿入状態を示す斜視図である。
【図９】本発明の実施の一形態であるディスクカートリッジをカートリッジアダプタへの装着状態を示す斜視図である。
【図１０】従来例の一形態であるディスクカートリッジを示す分解図である。
【図１１】従来例の一形態であるディスクカートリッジを示す図である。
【図１２】従来例２の一形態であるディスクカートリッジを示す図である。
【図１３】従来ディスクカートリッジのディスク駆動装置への装着状態を示す図である。
【符号の説明】
１  上面開口部
２  下面開口部
２ａ  第１の下面開口部
２ｂ  第２の下面開口部
３  ディスク
４  シャッタ
４ａ  第１シャッタ
４ｂ  第２シャッタ
５  光ヘッド
６  ハブ
７  上ハーフ
８  下ハーフ
９  シャッタロック
１０  小径（φ５０ｍｍ）ディスクカートリッジ
２０  カートリッジアダプタ
２１  ターンテーブル
２１ａ  アダプタ内の第１のターンテーブル（駆動装置側）
２１ｂ  アダプタ内の第２のターンテーブル（小径ディスク側）
２２  カートリッジアダプタ下面開口部
２４  駆動ベルト
２７  カートリッジアダプタ上ハーフ
２８  カートリッジアダプタ下ハーフ
【図１】
0003892274.tif 000002
【図２】
0003892274.tif 000003
【図３】
0003892274.tif 000004
【図４】
0003892274.tif 000005
【図５】
0003892274.tif 000006
【図６】
0003892274.tif 000007
【図７】
0003892274.tif 000008
【図８】
0003892274.tif 000009
【図９】
0003892274.tif 000010
【図１０】
0003892274.tif 000011
【図１１】
0003892274.tif 000012
【図１２】
0003892274.tif 000013
【図１３】
0003892274.tif 000014